(57)【要約】【課題】収容箱に袋体を装着する際の手間を省いて梱包作業を効率的に行うことができる袋付き収容箱を提供する。装着された袋体内に製品や物を収容した後においては、該袋体の上部開口を簡易、かつ短時間に閉鎖することができ、梱包作業を効率的に行うことを可能にする袋付き収容箱を提供する。【解決手段】紙材を折り返して偏平形状に折畳み可能な収容箱の相対する少なくとも一方の側板に設けられた蓋体に、少なくとも１個以上の掛止め部を切り抜き形成し、収容箱内に装着された袋体の上部を掛止め部に掛止する。【選択図】        図１
2004168401.tif 000002
【特許請求の範囲】
【請求項１】
紙材を折り返して偏平形状に折畳み可能な収容箱の相対する少なくとも一方の側板に設けられた蓋体に、少なくとも１個以上の掛止め部を切り抜き形成し、収容箱内に装着された袋体の上部を掛止め部に掛止した袋付き収容箱。
【請求項２】
請求項１の収容箱は、各一対の側板下部に底辺を一体にそれぞれ設け、相対する一方の底辺を内側へ折り返した後に他方の底辺を内側へ折り返して重ね合わせて折畳み可能にした底構造の袋付き収容箱。
【請求項３】
請求項１の収容箱は、互いに相対する各一対の側板の内、一方の側板下部に三角形状の被接着底片を折り返し可能に設け、他方の側板の内、一方に隣接する被接着底片の一部が接着され、折り目にて折り返し可能な接着部及び先端部に係合部を設けた係合底片を、又他方に隣接する被接着底片の一部に接着され、折り目にて折り返し可能な接着部及び先端部に係合部が係合される被係合部を有した被係合底片をそれぞれ折り返し可能に設け、側板の折畳みに従って底板を折畳み可能にした底構造の袋付き収容箱。
【請求項４】
請求項１の収容箱は、四角形状の紙材中央部に設定される四角形状の底板の相対する各側縁に所望の幅にて折り返される第１及び第２側板を設け、各側板の長手方向両端部にて連続する隅板に底板の角部から紙材の角部に向かう折り目を形成して三角形状に折り返して一方の側板内面に重ね合わせて箱型に形成可能にすると共に底板及び一方の側板の中心部にて直線状に延出する中心折り目及び底板と一方の側板の境界にて中心折り目と交差する箇所から該側板の角部に向かって延出する傾斜折り目を設け、各折り目にて折り返すことにより偏平形状に折畳み可能にした袋付き収容箱。
【請求項５】
請求項１の収容箱は、相対する各一対の内側板の上部に外側に向かって所定の幅で延出する間隙形成板を設けた内枠を挿嵌した袋付き収容箱。
【請求項６】
請求項５の内枠は、各一対の内側板の上部に所定の幅で水平方向へ延出する間隙保持板及び垂下板を連続して設け、間隙保持板及び垂下板により収容箱の各側板との間に間隙を形成する袋付き収容箱。
【請求項７】
請求項１の収容箱は、相対する各一対の内側板の上部に外側に向かって所定の幅で延出する間隙形成板を設けた内箱を挿嵌し、間隙形成板により収容箱の各側板との間に間隙を形成する袋付き収容箱。
【請求項８】
請求項１において、掛止め部は相対する一方の蓋体の一部を適宜の形状の切り抜いた切抜き片とした袋付き収容箱。
【請求項９】
請求項１において、袋体は、多数の独立した微小気泡を有した合成樹脂シート、合成樹脂シート及び多数の気泡を有した合成樹脂シートのいずれかかとした袋付き収容箱。
【請求項１０】
請求項１において、袋体の底面を収容箱の底板上に固着した袋付き収容箱。
【請求項１１】
請求項１において、蓋体の掛止め部に対して袋体の上端を掛止めした袋付き収容箱。
【請求項１２】
請求項１において、蓋体の掛止め部に対して袋体の上部を、該袋体の上端が蓋体から突出した状態で掛止めした袋付き収容箱。
【発明の詳細な説明】
【０００１】
【発明が属する技術分野】
本発明は、袋体が予め装着されて折畳み可能な袋付き収容箱に関する。
【０００２】
【従来技術】
例えば特許文献１に示す箱体にあっては、折畳み可能な収容箱を箱型に組み立てた後に内部に袋体を、その上縁部を、蓋片が側板の外面に位置するように折り返された収容箱の上部又は起立した蓋片の上部に折り返して掛止めした状態で装着している。そして該袋体内に所望の製品や物を収容した後に、収容箱の上部又は蓋片の上部から取外した袋体の上縁部を折り返して開口を閉鎖した状態で相対するそれぞれの蓋片を内側へ折り返して重ね合せることにより収容箱の開口を閉鎖している。
【０００３】
【特許文献１】
特開平１１−２５５２６４号
【０００４】
【発明が解決しようとする課題】
しかし、上記した収容箱にあっては、袋体を装着する際に、外方に対する蓋片の折返し状態を保ちながら収容箱の上部又は蓋片の起立状態を保ちながら袋体の下部を収容箱内に押し込んだ状態で袋体の上縁を収容箱の上部又は蓋片の上部に掛止めする必要があり、その作業に手間がかかり、袋体の装着作業性が悪かった。
【０００５】
又、上記のように収容箱内に装着された袋体内に製品や物を収容した後にあっては、収容箱の上部又は蓋片の上部から袋体の上縁を取外した後に、袋体の上縁部を折り返して重ね合わせることにより開口を閉鎖する必要があり、この作業にも手間がかかって作業性が悪かった。
この結果、製品の梱包作業に手間がかかり、作業性が悪かった。
【０００６】
本発明は、上記した従来の欠点を解決するために発明されたもので、その課題とする処は、収容箱に袋体を装着する際の手間を省いて梱包作業を効率的に行うことができる袋付き収容箱を提供することにある。
【０００７】
本発明の他の課題は、装着された袋体内に製品や物を収容した後においては、該袋体の上部開口を簡易、かつ短時間に閉鎖することができ、梱包作業を効率的に行うことを可能にする袋付き収容箱を提供することにある。
【０００８】
【課題を解決するための手段】
本発明は、紙材を折り返して偏平形状に折畳み可能な収容箱の相対する少なくとも一方の側板に設けられた蓋体に、少なくとも１個以上の掛止め部を切り抜き形成し、収容箱内に装着された袋体の上部を掛止め部に掛止したことを特徴とする。
【０００９】
【発明の実施形態】
以下に実施形態を示す図に従って本発明を説明する。
図１〜図４において、収容箱１は、例えば内面及び外面の少なくとも何れか一方に合成樹脂フィルムがラミネート加工されて防水処理された段ボール紙や厚手状クラフト紙等の紙材により形成される。尚、収容する製品の種類によっては、合成樹脂フィルムがラミネート加工されていない非防水の紙材であってもよい。
【００１０】
そして収容箱１を構成する紙材は、その展開状態において各一対の第１側板３及び第２側板５を交互に連続させ、例えば紙材の端に位置する第１側板３の端縁に固着片７を一体に設けた形状からなる。
【００１１】
各第１側板３の上部には第２側板５の長手方向幅の約１／２幅からなる第１蓋片９が、又各第２側板５の上部には第２蓋片１１が折返し可能にそれぞれ一体形成されている。各第１側板３の下部には第２側板５の長手方向幅の約１／２の幅からなる第１底片１３が、又各第２側板５の下部には第２底片１５が折返し可能にそれぞれ一体形成され、折畳み可能に形成される。
【００１２】
そして各一対の第１及び第２側板３・５を互いに相対するように折り返した後に固着片７を隣接する第２側板５の端縁外面に接着したり、又はステープル等により固定して長四角形枠状に形成した後に、内側へ折り返した第２底片１５に内側へ折り返された第１底片１３を重ね合せた状態で粘着テープ（図示せず）により固着してＡ式構造の底板を構成する。
【００１３】
第１蓋片９及び第２蓋片１１の一方、図に示す収容箱１にあっては第１蓋片９に袋体１７の掛止め部１９を設ける。掛止め部１９は、例えば第１蓋片９の長手方向中間部にて半円弧形、Ｖ字形又はコ字形に切り抜いて掛止片としたもので、半円弧形、Ｖ字形又はコ字形の掛止め部１９にあっては第１蓋片９の長手方向に適宜間隔をおいて複数個設けてもよい。又、コ字形の掛止め部１９にあっては、第１蓋片９の長手方向に延びる横長形状にしてもよい。更に、掛止め部１９としては、第１蓋片９の中間部や上部、縦長、横長、十字状、米字状の切込みや各種形状の貫通孔としてもよい。（図３参照）
【００１４】
そして収容箱１内には袋体１７が予め装着されている。該袋体１７は、その下部が各第１及び第２側板３・５の内面に沿った状態で、かつ上部が各第１蓋片９の掛止め部１９に掛止めされた状態で取付けられている。袋体１７としては独立した微小な気泡の集合体からなり、断熱性、防湿及び防水性を有した合成樹脂シート（例えば商品名：ミラーマット又はライトロン）や、厚手状で防湿及び防水性を有した可撓性合成樹脂シート或いは多数の気泡部を有した合成樹脂性エアーマット等を使用して上部が開口した袋状に形成したものであればよい。
【００１５】
尚、掛止め部１９をＶ字形やコ字形に切抜き形成した場合にあっては、角部を面取り形成することにより掛止めされた袋体１７の上部が破断するのを防止することができる。
【００１６】
次に、上記収容箱１による製品の収容作用を説明する。
先ず、収容箱１に袋体１７を予め装着する際には、各第１及び第２・５間に袋体１７を配置した状態で袋体１７の一部上縁を各掛止め部１９に掛止して行う。
【００１７】
即ち、各第１及び第２側板３・５間に袋体１７を配置した状態で各掛止め部１９を内方へ押圧して突出するように弾性変形させながら袋体１７の一部上縁を掛止するように折り返して掛止めした後に、掛止め部１９の押圧を中断することによりその剛性により元の状態に弾性復帰させて袋体１７の一部上縁を各第１蓋片９と掛止め部１９により挟持して固定させる。（図４〜図６参照）
【００１８】
次に、上記のように袋体１７が装着されて図１に示すように箱形に組み立てられた収容箱１の袋体１７内に製品を収容した後に、各第１蓋片９を内側へ折り返して平面状にすると、掛止め部１９に掛止めされていない側の袋体１７の一部上縁が起立した第１蓋片９の上面より上方に突出して第２蓋片１１の内面に沿った状態になる。（図７参照）
【００１９】
次に、上記状態にて第２蓋片１１を内側へ折り返して各第１蓋片９上に重ね合せると、第１蓋片９より上方へ突出した袋体１７の一部上縁を各第１蓋片９上にて折り返されて挟持させると共に収容箱１の上面開口を閉鎖させる。（図８参照）
【００２０】
一方、袋体１７内に収容された製品を取出す際には、上記とは逆に、先ず、第２蓋片１１を起立させた後に第１蓋片９を起立させると、該袋体１７はその上部縁を自動的に開放させることができる。これにより袋体１７の上部を開放させる作業を省くことができ、製品の取出し作業を円滑に行うことができる。
【００２１】
本実施形態は、折畳み可能に収容箱１内に袋体１７が予め装着され、該収容箱１を箱形に組み立てることにより装着された袋体１７の上部開口を自動的に開放させることができ、従来例のように袋体１７の上部開口を開放させる作業を省くことができる。
【００２２】
又、第１蓋片９及び第２蓋片１１を内側へ順に折り返すことにより製品が収容される袋体１７の上部開口を自動的に閉鎖させることができ、従来のように袋体１７の上部開口を、収容箱１とは別に閉鎖させる作業を省くことができ、製品の収容及び梱包作業を効率的に行うことができる。
【００２３】
更に、袋体１７内から製品を取出す際には、各第２蓋片１１及び各第１蓋片９を順に起立させることにより袋体１７の上部開口を自動的に開放させることができ、従来例のように袋体１７の上部を開放させる作業を省くことができる。
【００２４】
本発明は、以下のように変更実施することができる。
１．上記説明は、各第１蓋片９の掛止め部１９に袋体１７の上縁を掛止めした状態で、先ず、第１蓋片９を内側へ折り返した後に第２蓋片１１を内側へ折り返して収容箱１の上部開口を閉鎖するものとしたが、図９に示すように各第１蓋片９の上端から袋体１７の上端が突出した状態で袋体１７の上部を掛止め部１９に掛止めしてもよい。
【００２５】
この場合にあっては、各第１蓋片９を内側へ折り返した際に、上端から突出した袋体１７の上部相互が重なり合うことにより袋体１７の上部開口を閉鎖させることができる。
【００２６】
２．上記説明は、各第１蓋片９の掛止め部１９に袋体１７の上縁又は上部を掛止めした状態で、各第１蓋片９及び各第２蓋片１１を内側へ折り返して収容箱１の上部開口を閉鎖するものとしたが、収容箱１の上部開口を閉じる際に、各第１蓋片９の掛止め部１９から袋体１７を取外した後に上部相互が折り重なるように折畳んで掛止め部１９の開口を閉鎖した状態で、各第１蓋片９及び各第２蓋片１１を内側へ折り返して収容箱１の上部開口を閉じてもよい。
【００２７】
３．上記説明は、収容箱１の底板構造を、所謂Ａ式底構造としたが、ワンタッチ折畳み構造としてもよい。
即ち、図１０に示すように収容箱９０における各第１側板３及び第２側板５の下部に底片９１・９３，９５・９７を一体形成する。その内、各第２側板５の底片９５・９７を、平面がほぼ三角形で、第２側板５の下部に対して折り返しできるように設ける。
【００２８】
各第１側板３の底片９１・９３を第２側板５の長手方向幅に対して約１／２の幅で長手直交方向へ延出し、隣接する底片９５・９７側の側端縁に折り目９９ｂ・１０１ｂにて折返し可能に設けられた接着部９９ａ・１０１ａに接着する。
【００２９】
また、底片９１の先端部に係合部９１ｃを、又底片９３の先端部に係合部９１ｃが差し込まれる切欠部９３ｃをそれぞれ形成して相互を係合させる。そして収容箱９０を偏平に折畳んだ際にこれら底片９１・９３，９５・９７を自動的に内側へ折り返して底板を折畳み可能にする。
【００３０】
尚、上記した収容箱９０の第１及び第２側板９１・９３，９５・９７上縁には掛止め部１９が形成された蓋片９・１１がそれぞれ設けられ、袋体１７を取付け可能にしている。
【００３１】
４．又、同様に収容箱の底板を地獄底構造としたものであってもよい。
【００３２】
５．収容箱１の箱構造としては、一枚の紙材により切れ目のない構造としてもよい。
即ち、図１１に示すように紙材の中央部に配置される所望の大きさの底板１１３の相対する各側縁に第１側板１１５及び第２側板１１７と各側板１１５・１１７の両端に連続する四角形状で折り目１１９ａを有した各隅板１１９をそれぞれ折り返して箱形に形成可能な収容箱１１１としてもよい。
【００３３】
即ち、底板１１３に対して各第１及び第２側板１１５・１１７を折り目にて折り返して起立させると共に各隅板１１９を折り目１１９ａにて三角形状に折畳んで第１側板１１５若しくは第２側板１１７の内面又は外面に重ね合わせて固定することにより切れ目のない収容箱１１１を形成する。
尚、上記した収容箱１１１の第１及び第２側板１１５・１１７上縁には掛止め部１９が形成された蓋片９・１１がそれぞれ設けられ、袋体１７を取付け可能にしている。
【００３４】
６．上記説明は、収容箱１内に対して袋体１７を、非固定状態で取付けるものとしたが、収容箱１の底面に袋体１７の下部を固定するようにしてもよい。
即ち、収容箱１の底面に、例えば両面テープを取付け、収容箱１内に装着される袋体１７の下面を両面テープにより粘着させて固定する。これにより予め袋体１７が取付けられて折畳まれた収容箱１を箱形状に組み立てる際に袋体１７の装着状態が乱れて開口の開放が困難になるのを防止することができる。
【００３５】
７．上記説明は、収容箱１内に対して袋体１７を直接装着するものとしたが、収容箱１内に空隙保持枠１３１を設け、該空隙保持枠１３１内に袋体１７を装着してもよい。
即ち、図１２に示すように収容箱１内に挿嵌される空隙保持枠１３１は、平面が収容箱１より若干小さく、第１及び第２側板３・５とほぼ一致する高さの各一対で相対する側板１３３・１３５を四角枠形状に形成すると共に各側板１３３・１３５の上部に、相対する第１及び第２側板３・５の内面に至る幅で水平方向へ延出する頂面板１３３ａ・１３５ａと第１及び第２側板３・５の内面に沿って垂下する垂下板１３３ｂ・１３５ｂを一体に設けた構造からなる。
【００３６】
そして収容箱１内に空隙保持枠１３１を挿嵌した際に第１及び第２側板３・５の内面と各側板１３３・１３５の外面との間に頂面板１３３ａ・１３５ａに応じた幅の空隙を形成し、該空隙による空気層により収容箱１を断熱化することができる。
尚、空隙保持枠１３１としては、底板を設け、収容箱１内に挿嵌できる内箱構造としてもよいことは勿論である。
【００３７】
【発明の効果】
本発明は、収容箱に袋体を装着する際の手間を省いて梱包作業を効率的に行うことができる。又、装着された袋体内に製品や物を収容した後においては、該袋体の上部開口を簡易、かつ短時間に閉鎖することができ、梱包作業を効率的に行うことを可能にする。
【図面の簡単な説明】
【図１】袋付き収容箱の全体斜視図である。
【図２】収容箱の展開図である。
【図３】掛止め部の変更例を示す説明図である。
【図４】袋体が装着された収容箱の折畳み状態を示す一部破断斜視図である。
【図５】掛止め部に対する袋体の掛止め状態を示す説明図である。
【図６】袋体が掛け止めされた状態の蓋片を示す断面図である。
【図７】第１蓋片を閉じた状態を示す説明図である。
【図８】収容箱の上面開口を閉鎖した状態を示す一部破断説明図である。
【図９】袋体の掛止め変更例を示す説明図である。
【図１０】収容箱における底板の変更例を示す説明図である。
【図１１】収容箱構造の変更例を示す説明図である。
【図１２】収容箱構造の変更例を示す説明図である。
【符号の説明】
１−収容箱、３−第１側板、５−第２側板、９−第１蓋片、１１−第２蓋片、１７−袋体、１９−掛止め部
【図１】
2004168401.tif 000003
【図２】
2004168401.tif 000004
【図３】
2004168401.tif 000005
【図４】
2004168401.tif 000006
【図５】
2004168401.tif 000007
【図６】
2004168401.tif 000008
【図７】
2004168401.tif 000009
【図８】
2004168401.tif 000010
【図９】
2004168401.tif 000011
【図１０】
2004168401.tif 000012
【図１１】
2004168401.tif 000013
【図１２】
2004168401.tif 000014